(57)【要約】      （修正有）【課題】携帯型記録再生装置が装着されたときには装着された携帯型記録再生装置の表示部を点灯するようにして、操作性の向上を図る。【解決手段】表示部を有する携帯型記録再生装置が装着される装着部２６と、装着部２６に設けられ、携帯型記録再生装置に電気的に接続されて、携帯型記録再生装置とデータの送受信を行う送受信部２７、送受信部２７より入力されたデータを出力するスピーカ２４と、装着部２６に記録再生装置が装着されたとき、装着部２６に装着された携帯型記録再生装置の表示部を駆動する駆動信号を第１の所定期間毎に出力する制御部３１とを備える。【選択図】図３
2010060941.tif 000002
【特許請求の範囲】
【請求項１】
表示部を有する携帯型記録再生装置が装着される装着部と、
上記装着部に設けられ、上記携帯型記録再生装置に電気的に接続されて、上記携帯型記録再生装置とデータの送受信を行う送受信部と、
上記装着部に上記携帯型記録再生装置が装着されたとき、上記装着部に装着された携帯型記録再生装置の表示部を駆動する駆動信号を第１の所定期間毎に出力する制御部と
を備えるドックステーション。
【請求項２】
上記携帯型記録再生装置の表示部は、第２の所定期間が経過するまで新たな操作入力がないと、駆動を停止し、
上記第１の所定期間は、上記第２の所定期間より短く、
上記制御部は、上記第２の所定期間より短い第１の所定期間毎に、上記駆動信号を上記携帯型記録再生装置に出力する
請求項１記載のドックステーション。
【請求項３】
上記制御部は、データ転送処理中に上記第１の所定期間を経過したとき、該データ転送処理に優先して、上記駆動信号を、上記携帯型記録再生装置に出力する
請求項１記載のドックステーション。
【請求項４】
表示部を有する携帯型記録再生装置と、
携帯型記録再生装置が装着される装着部と、上記装着部に設けられ、上記携帯型記録再生装置に電気的に接続されて、上記携帯型記録再生装置とデータの送受信を行う送受信部と、上記装着部に上記記録再生装置が装着されたとき、上記装着部に装着された携帯型記録再生装置の表示部を駆動する駆動信号を所定期間毎に出力する制御部とを有するドックステーションと
を備える再生システム。
【発明の詳細な説明】
【技術分野】
【０００１】
本発明は、携帯型記録再生装置が装着され、携帯型記録再生装置に格納された音楽データ等のデータを可聴音で再生するドックステーション及び再生システムに関する。
【背景技術】
【０００２】
携帯型記録再生装置は、内部に、半導体メモリやハードディスクドライブ等の記憶部を備えており、この記憶部に格納された音楽ファイルをデコードし、イヤホンやヘッドフォン等を用いて音楽を聴くことができる。この種の携帯型記録再生装置は、専ら個人が移動しながら音楽を聴くことを目的としていることから、スピーカは内蔵されていない。そこで、携帯型記録再生装置は、空間で音楽を聴くときには、ドックステーションに装着し、携帯型記録再生装置からドックステーションに音楽ファイルを転送し、ドックステーションのスピーカで音楽を聴くようになっている。
【０００３】
ところで、携帯型記録再生装置には、再生中の音楽データに関連する関連データ、例えばトラックナンバ、曲名、アーティスト名、再生時間を見ることができるように液晶表示パネル等の表示部が設けられている。この表示部は、携帯型記録再生装置が二次電池を電源としているため、省電力化を図る必要があり、例えば、操作をやめてから所定期間経過すると消灯するようになっている。
【０００４】
したがって、ユーザがドックステーションに携帯型記録再生装置を装着してスピーカで音楽を聞く場合、ドックステーションに装着された携帯型記録再生装置は、ドックステーションでの再生開始操作を行ってから長時間操作されないことになる。すると、携帯型記録再生装置の表示部は、消灯されてしまい、ユーザは、再生中の音楽データに関連する関連データを携帯型記録再生装置の表示部で確認することができなくなる。携帯型記録再生装置の表示部で再生中の音楽データに関連する関連データを確認するには、携帯型記録再生装置がドックステーションの装着部に装着された状態で何らかの操作を行って表示部が点灯されるようにする必要がある。
【０００５】
携帯型記録再生装置は、表示部を、常時点灯するように設定を変更することもできる。しかしながら、この設定変更は、操作階層の深い部分で行うようになっている。すなわち、ユーザは、表示部を常時点灯に切り替えるため、複数回に亘って操作ボタンを操作する必要があり、面倒である。
【０００６】
【特許文献１】特開平１１−２１２６８４号公報
【発明の開示】
【発明が解決しようとする課題】
【０００７】
本発明は、以上のような問題点に鑑みてなされたものであり、携帯型記録再生装置が装着されたときには装着された携帯型記録再生装置の表示部を点灯するようにして、操作性の向上を図ることができるドックステーション及び再生システムを提供することを目的とする。
【課題を解決するための手段】
【０００８】
本発明に係るドックステーションは、表示部を有する携帯型記録再生装置が装着される装着部と、上記装着部に設けられ、上記携帯型記録再生装置に電気的に接続されて、上記携帯型記録再生装置とデータの送受信を行う送受信部と、上記装着部に上記携帯型記録再生装置が装着されたとき、上記装着部に装着された携帯型記録再生装置の表示部を駆動する駆動信号を第１の所定期間毎に出力する制御部とを備える。
【０００９】
また、本発明に係る再生システムは、表示部を有する携帯型記録再生装置と、携帯型記録再生装置が装着される装着部と、上記装着部に設けられ、上記携帯型記録再生装置に電気的に接続されて、上記携帯型記録再生装置とデータの送受信を行う送受信部と、上記装着部に上記記録再生装置が装着されたとき、上記装着部に装着された携帯型記録再生装置の表示部を駆動する駆動信号を所定期間毎に出力する制御部とを有するドックステーションとを備える。
【発明の効果】
【００１０】
本発明によれば、ドックステーションの装着部に記録再生装置が装着されたとき、装着部に装着された携帯型記録再生装置の表示部を駆動する駆動信号を、携帯型記録再生装置の表示部が消灯する第２の所定期間より短い第１の所定期間毎に出力するようにしたので、ドックステーションの装着部に携帯型記録再生装置が装着されたときに、第２の所定期間以上操作がされないことがあっても、携帯型記録再生装置の表示部を継続して点灯させることができる。したがってユーザは、ドックステーションの装着部に携帯型記録再生装置が装着され長時間操作がされないときであっても、携帯型記録再生装置の表示部で動作状況を確認することがきる。
【発明を実施するための最良の形態】
【００１１】
以下、本発明が適用された再生システム及びこの再生システムに用いられる携帯型記録再生装置について図面を参照して説明する。なお、説明は以下の順に従って説明する。
１．全体構成
２．携帯型記録再生装置の説明
３．ドックステーションの説明
４．全体の動作の説明
【００１２】
＜全体構成＞
図１に示すように、本発明が適用された再生システム１は、携帯型記録再生装置１０と、この携帯型記録再生装置１０が装着されるドックステーション２０とを備えている。携帯型記録再生装置１０は、片手で把持できる程度の大きさで略矩形板状に形成されており、内部にハードディスクやフラッシュメモリ等のメモリを内蔵している。携帯型記録再生装置１０は、通常、メモリに、音声データや映像データ等のコンテンツデータが保存されている。ユーザは、イヤホンやヘッドフォンを接続することによって、メモリに保存されているオーディオデータ等の音声データや聞くことができ、また、表示部で映像データを見ることができる。例えば、携帯型記録再生装置１０に記録されているオーディオデータを空間で聞く場合、ユーザは、携帯型記録再生装置１０をドックステーション２０に接続する。そして、携帯型記録再生装置１０のメモリに保存されている所定のオーディオデータをドックステーション２０に転送し、ドックステーション２０のスピーカで所定のオーディオデータを聞くことになる。
【００１３】
携帯型記録再生装置１０は、小型であり携帯型電子機器であるため、電源部に、リチウムイオン二次電池等の二次電池が使用されている。このため、携帯型記録再生装置１０では、省電力化を図る必要があり、例えば、所定期間以上操作がされないとき、表示部の駆動を停止するようにしている。本発明が適用されたドックステーション２０では、携帯型記録再生装置１０が装着され、オーディオデータの再生が行われている場合に、所定時間以上操作が行われなくても、表示部の動作を停止しないようにしている。これにより、ユーザは、携帯型記録再生装置１０の表示部の表示内容を常に視認できるようなり、利便性の向上が図られる。
【００１４】
以下、本発明が適用された再生システム１を構成する携帯型記録再生装置１０とドックステーション２０について、図面を参照して説明する。
【００１５】
＜携帯型記録再生装置１０＞
図２に示すように、ドックステーション２０に装着可能な携帯型記録再生装置１０は、オーディオデータ等の音声データや映像データ等のコンテンツデータを保存するメモリ１１と、メモリ１１に保存するコンテンツデータが入力されるデータ送受信部１２とを備える。また、携帯型記録再生装置１０は、再生するコンテンツデータをデコードするコーデック１３と、オーディオデータ等の音声データを出力する出力部１４と、映像データや動作状況等を表示する表示部１５とを備える。更に、携帯型記録再生装置１０は、操作信号を入力する操作部１６と、装置全体の動作を制御する制御部１７と、装置全体に電力を供給する電源部１８とを備えている。
【００１６】
メモリ１１は、ハードディスクやＥＥＰＲＯＭ（Electrically Erasable and Programmable Read Only Memory）等の半導体メモリでなり、数十〜数百ギガバイトの記憶容量を有している。このメモリ１１は、複数のオーディオデータや映像データ等のコンテンツデータを格納する。これらのコンテンツデータは、データ送受信部１２より、このデータ送受信部１２と接続されたドックステーション２０やパーソナルコンピュータ等の情報処理装置から転送される。
【００１７】
なお、例えば、メモリ１１には、コンテンツデータが例えば、ＡＡＣ、ＭＰ３、ＷＡＶ、ＡＩＦＦ等のファイル形式で保存される。
【００１８】
データ送受信部１２は、例えば３０ピンのコネクタ等を有しており、略矩形板状の装置本体の例えば背面部に設けられている。データ送受信部１２は、例えば、パーソナルコンピュータ等の情報処理装置と接続ケーブルを介して接続されたとき、一端がＵＳＢインタフェースに接続された接続ケーブルの他端のコネクタが接続されることになる。データ送受信部１２には、情報処理装置がサーバ等からダウンロードしたコンテンツデータが接続ケーブルを介して入力され、入力されたコンテンツデータをメモリ１１に保存する。
【００１９】
また、データ送受信部１２は、ドックステーション２０の装着部に装着された際、この装着部のコネクタとも接続される。コンテンツデータの再生を行うとき、データ送受信部１２は、ドックステーション２０に再生するコンテンツデータを出力する。また、データ送受信部１２には、ドックステーション２０に保存されているコンテンツデータを携帯型記録再生装置１０のメモリ１１に保存するとき、ドックステーション２０からコンテンツデータが入力される。
【００２０】
データ送受信部１２では、接続されたパーソナルコンピュータ等の情報処理装置やドックステーション２０との間で制御データのやりとりを行うこともできる。例えば、ドックステーション２０からは、携帯型記録再生装置１０の表示部１５を連続して点灯させるための駆動信号が入力される。更に、データ送受信部１２は、接続された装置から電源供給がされ、供給された電源で電源部１８の二次電池に対して充電を行うこともできる。
【００２１】
コーデック１３は、メモリ１１に保存されているコンテンツデータを再生するとき、選択されたファイルのコンテンツデータをデコードして、出力部１４や表示部１５に出力する。すなわち、オーディオデータ等の音声データを再生するときには、デコードしたオーディオデータ等の音声データを出力部１４に出力し、映像データを再生するときには、デコードした映像データを表示部１５に出力する。
【００２２】
出力部１４は、ジャックを有し、ジャックにヘッドフォンやイヤホンの端子が接続され、イヤホンやヘッドフォンからオーディオデータ等の音声データが可聴音で放音されるようにする。
【００２３】
表示部１５は、例えば液晶表示パネル、有機ＥＬパネル等でなり、例えば図１に示すように、装置本体の前面部に設けられている。表示部１５は、映像データを表示する他、装置の動作状況を表示する。具体的に、表示部１５は、動作状況として、再生中のコンテンツデータの曲順、アーティスト名、曲名、再生時間等の関連データを表示する。この表示部１５は、動作状況を表示する状態において、パーソナルコンピュータ等の情報処理装置やドックステーション２０に接続されていないとき、操作部１６で操作が行われてから所定時間経過するまで、バックライト等が駆動し、視認可能な状態となる。そして、表示部１５は、操作部１６の操作を停止してから所定期間が経過すると、省電力のため、バックライト等を消灯する、すなわち駆動を停止する。
【００２４】
操作部１６は、例えば回転操作部材や押しボタン等で構成され、例えば図１に示すように、装置本体の前面部で表示部１５の下側に設けられている。この操作部１６では、コンテンツデータの再生、一時停止、早送り、巻き戻し等を行うことができる。また、操作部１６では、再生するコンテンツデータの検索や選択等を行うことができる。
【００２５】
制御部１７は、例えばマイクロコンピュータであり、装置全体の動作を、操作部１６からの操作信号等に基づいて制御する。例えば、制御部１７は、データ送受信部１２よりコンテンツデータが入力されると、入力されたコンテンツデータをメモリ１１に格納する。また、制御部１７は、操作部１６で、ユーザ所望のコンテンツデータが表示部１５に表示された一覧の中から選択されると、選択されたコンテンツデータをメモリ１１から読み出し、コーデック１３でデコードし、音声データを出力部１４に出力し、映像データを表示部１５に出力する。
【００２６】
更に、制御部１７は、所定時間を計時するタイマ１７ａを有している。制御部１７は、操作部１６から操作信号が入力されなくなってから所定時間、例えば２５秒間経過すると、表示部１５の駆動を停止し、省電力化を図る。加えて、制御部１７は、データ送受信部１２からのコンテンツデータ等のデータ入力が無くなってから所定時間経過すると、表示部１５の駆動を停止するようにしても良い。また、制御部１７は、表示部１５の駆動を停止している際にデータ送受信部１２を介して外部の機器から表示部１５の駆動信号が入力されると、停止している表示部１５の駆動を再開する。
【００２７】
電源部１８は、装置本体を動作させる際の電源となる二次電池、二次電池に充電を行うための充電回路、装置本体の各回路を構成する集積回路チップやマイクロコンピュータに電力を供給する電源回路、ＤＣ入力端子等を備えている。電源部１８は、ＤＣ入力端子にＤＣ電源が接続されているとき、ドックステーション２０の装着部や情報処理装置にＵＳＢケーブルを介して接続されているとき等に、充電回路で二次電池に対して充電を行う。また、電源部１８は、二次電池の電力及び／又はＤＣ入力端子から供給される電力を、電源回路で所定電圧に変換して、装置本体の各回路を構成する集積回路チップやマイクロコンピュータに電力を供給する。
【００２８】
＜ドックステーション２０＞
ドックステーション２０は、携帯型記録再生装置１０が装着可能な装置であるが、更に、ディジタル及び／又はアナログのラジオ放送を受信するチューナとしても機能する。具体的に、ドックステーション２０には、ユーザが、例えば、携帯型記録再生装置１０の二次電の充電をするためや携帯型記録再生装置１０のメモリ１１に保存したコンテンツデータの音声データを空間に放音するために装着される。
【００２９】
このドックステーション２０は、アンテナ２１に接続されたチューナ２２と、受信したディジタル及び／又はアナログのラジオ放送番組をデコードし、音声データを生成するサウンド制御部２３と、音声データを空間に放音するスピーカ２４と、音声データをイヤホンやヘッドフォンに出力する出力部２５とを備える。また、ドックステーション２０は、例えば装置本体の上面に設けられた携帯型記録再生装置１０の背面部に設けられたデータ送受信部２７と、ラジオ放送番組で使用されたコンテンツデータやこのコンテンツデータに関連づけられた付加データ等を格納するメモリ２８とを備える。更に、ドックステーション２０は、装置本体の動作状況等を表示する装置本体の前面部中央等に設けられた表示部２９と、操作信号を入力する操作部３０と、全体の動作を制御する制御部３１とを備える。
【００３０】
チューナ２２は、選択されたチャンネルのディジタル及び／又はアナログのラジオ番組信号を選択し、デコードする。チューナ２２は、例えばディジタル地上波放送（HDラジオ（High Definition Radio）放送を受信した場合に付加データがあると、付加データを分離し、表示部２９に表示したり、操作に応じて、メモリ２８に格納する。
【００３１】
サウンド制御部２３は、チューナ２２からの入力とデータ送受信部２７からの入力とライン入力とを切り換える。サウンド制御部２３は、音声データをディジタル信号からアナログ信号に変換し、更に、制御部３１からの入力に応じてボリュームコントロールを行う。そして、サウンド制御部２３は、音声データをスピーカ２４や出力部２５に出力する。スピーカ２４は、所謂ラウドスピーカであり、装置本体の正面部の表示部２９の両側に設けられ、サウンド制御部２３から入力された音声データを空間に放音する。出力部２５は、ジャックを有し、ジャックにヘッドフォンやイヤホンの端子が接続され、イヤホンやヘッドフォンから音声データが可聴音で放音されるようにする。
【００３２】
携帯型記録再生装置１０が装着される装着部２６は、装置本体の上面部略中央等に、携帯型記録再生装置１０を立った状態で保持し得るように凹部で形成されている。具体的に、この装着部２６の凹部には、データ送受信部１２が設けられた携帯型記録再生装置１０の背面部が接続端として挿入される。装着部２６の凹部は、携帯型記録再生装置１０の背面部と係合することで、携帯型記録再生装置１０が立った状態を保持する。装着部２６の凹部の底面部には、データ送受信部２７の一部となる携帯型記録再生装置１０のデータ送受信部１２と接続されるコネクタが設けられている。
【００３３】
メモリ２８は、ハードディスクやＥＥＰＲＯＭ等の半導体メモリであり、ラジオ放送番組で使用されたユーザが記録したオーディオデータやオーディオデータに関連づけられた付加データが記録される。ここで、付加データは、例えば、オーディオデータのアーティスト名、曲名、再生時間、オーディオデータに関連するＵＲＬ（Uniform Resource Locator）等である。
【００３４】
データ送受信部２７は、携帯型記録再生装置１０が装着部２６に装着された際、放送中の番組内で放送されるオーディオデータやメモリ２８に保存されているオーディオデータや付加データを携帯型記録再生装置１０に対して出力し、携帯型記録再生装置１０のメモリ１１に複写できるようにする。
【００３５】
また、データ送受信部２７は、携帯型記録再生装置１０から再生するコンテンツデータが入力され、スピーカ２４より空間に放音されるようにする。
【００３６】
更に、データ送受信部２７は、装着部２６に携帯型記録再生装置１０が装着され、携帯型記録再生装置１０に保存されているコンテンツデータを再生しているとき、所定期間毎、例えば２０秒毎に、携帯型記録再生装置１０の表示部１５の駆動信号を携帯型記録再生装置１０のデータ送受信部１２に対して出力する。
【００３７】
表示部２９は、例えば液晶表示パネル、有機ＥＬパネル等でなり、装置本体の例えば前面部に設けられている。表示部１５は、装置の動作状況を表示する。具体的に、表示部１５は、動作状況として、再生中のコンテンツデータの曲順、アーティスト名、曲名、再生時間等の関連データを表示する。
【００３８】
操作部３０は、例えば、装置本体の上面や遠隔操作装置で構成される。操作部３０では、ラジオ放送のチャンネル選択ボタン、番組データや番組で使用されるオーディオデータ等のコンテンツデータの記録ボタン、再生ボタン、停止ボタン等で構成されている。
【００３９】
制御部３１は、例えばマイクロコンピュータであり、装置全体の動作を、操作部３０からの操作信号等に基づいて制御する。例えば、制御部３１は、チューナ２２でユーザが操作部３０で選択したチャンネルのディジタル地上波放送番組を受信しているとき、音声データを、スピーカ２４より空間に放音する。制御部３１は、所定のチャンネルのディジタル地上波放送番組を受信しているとき、所定のオーディオデータの記録操作を操作部３０で行うと、記録操作が行われたオーディオデータ及びこのオーディオデータに関連づけられた付加データをメモリ２８に格納する。更に、制御部３１は、装着部２６に装着された携帯型記録再生装置１０のメモリ１１に格納されているオーディオデータ等のコンテンツデータの再生操作が行われると、選択されたコンテンツデータのファイルをメモリ１１より読み出し、これをサウンド制御部２３を介してスピーカ２４より放音する。
【００４０】
更に、制御部３１は、タイマ３１ａを有しており、所定時間を計時する。制御部３１は、装着部２６に携帯型記録再生装置１０が装着されているとき、タイマ３１ａで所定期間を計時し、所定時間毎に携帯型記録再生装置１０の表示部１５の駆動信号を発生し、この駆動信号をデータ送受信部１２より携帯型記録再生装置１０に出力する。具体的に、制御部１７は、第１の所定期間（例えば２０秒）毎に、駆動信号を携帯型記録再生装置１０に出力する。これは、携帯型記録再生装置１０の表示部１５が第２の所定期間、すなわち操作を停止してから２５秒で表示部１５の駆動を停止し、省電力化を図るためである。これにより、ユーザは、ドックステーション２０の装着部２６に携帯型記録再生装置１０を装着しているときであっても、携帯型記録再生装置１０の表示部１５で再生しているコンテンツデータに関連する曲順、アーティスト名、曲名、再生時間等を視認することができる。
【００４１】
この際、制御部３１は、携帯型記録再生装置１０が装着部２６に装着されたことを検出したときやデータの転送処理が開始時（データ送受信部２７へのデータ入力時）に最初の駆動信号を携帯型記録再生装置１０に出力する。これにより、制御部３１は、装着部２６に携帯型記録再生装置１０が装着された直後において、携帯型記録再生装置１０の表示部１５の駆動が停止することを防止することができる。
【００４２】
なお、第１の所定期間と第２の所定期間の関係は、ドックステーション２０側の第１の所定時間の方が携帯型記録再生装置１０側の第２の所定時間より短ければ、それぞれの時間の長さは、特に限定されるものではない。
【００４３】
＜全体の動作の説明＞
次に、携帯型記録再生装置１０がドックステーション２０に装着され、携帯型記録再生装置１０のコンテンツデータがドックステーション２０で再生されるまでの一連の動作について図４を参照して説明する。
【００４４】
携帯型記録再生装置１０に保存されているオーディオデータ等のコンテンツデータをヘッドフォンやイヤホンを用いることなく聞くには、先ず、携帯型記録再生装置１０がドックステーション２０と装着部２６に装着される。ドックステーション２０の制御部３１は、ステップＳ１において、装着部２６に携帯型記録再生装置１０が装着され、データ送受信部１２のコネクタとデータ送受信部２７のコネクタとが接続されたかを判断する。そして、制御部３１は、コネクタ同士が接続されたと判断したとき、ステップＳ２に進み、接続されていないとき、ステップＳ１を繰り返す。
【００４５】
なお、制御部３１は、装着部２６に設けられた機械的スイッチのオンオフで携帯型記録再生装置１０が装着部２６に装着されたかを判断するようにしても良い。また、制御部３１は、装着部２６に装着された携帯型記録再生装置１０の認証がとれたときに、装着部２６に携帯型記録再生装置１０が装着されたと判断しても良い。
【００４６】
ステップＳ２において、制御部３１は、携帯型記録再生装置１０の表示部１５の駆動信号を発生し、データ送受信部２７より携帯型記録再生装置１０のデータ送受信部１２に出力する。これにより、携帯型記録再生装置１０の制御部１７では、駆動信号を検出すると、タイマ１７ａをリセットし、この駆動信号を受信してから、表示部１５の駆動を停止するまでの時間である第２の所定時間（この例では２５秒）を計時する処理を開始する。
【００４７】
ステップＳ３において、制御部３１は、タイマ３１ａで前回駆動信号を送信してから第１の所定期間（この例では２０秒）を計時する処理を開始し、ステップＳ４に進む。
【００４８】
ステップＳ４において、制御部３１は、第１の所定期間を経過したかどうかを判断する。制御部３１は、第１の所定期間を経過したとき、ステップＳ２に戻り、再度、駆動信号を発生し、データ送受信部２７より携帯型記録再生装置１０のデータ送受信部１２に出力する。また、制御部３１は、第１の所定期間を経過していないとき、ステップＳ３からの処理を繰り返す。
【００４９】
ドックステーション２０の制御部３１は、以上のような処理と並列して、携帯型記録再生装置１０がステップＳ１で装着された後、携帯型記録再生装置１０のメモリ１１に格納されているコンテンツデータの転送処理を開始する。この際、コンテンツデータを再生するためのデコード処理は、携帯型記録再生装置１０のコーデック１３、ドックステーション２０のサウンド制御部２３の何れで行うようにしても良い。そして、ユーザによって選択された携帯型記録再生装置１０のメモリ１１に格納されたコンテンツデータは、ドックステーション２０のスピーカ２４を介して空間に放音される。
【００５０】
携帯型記録再生装置１０のメモリ１１に格納されたコンテンツデータが複数選択され連続再生等が行われているときには、携帯型記録再生装置１０からドックステーション２０へのデータ転送処理中に、上述した第１の所定時間を経過することが生じる。この場合、制御部３１は、データ転送処理中に割り込み処理を行って、コンテンツデータの転送処理より優先して携帯型記録再生装置１０に対して表示部１５の駆動信号を出力し、携帯型記録再生装置１０の表示部１５が消灯することを防止する。
【００５１】
以上のようなドックステーション２０では、携帯型記録再生装置１０に格納されているコンテンツデータの再生を行っている際に、第２の所定時間（ここでは２５秒）以上携帯型記録再生装置１０の操作部１６を操作しないことがあっても、表示部１５が消灯する第２の経過時間（２５秒）が経過する前に表示部１５の駆動信号を携帯型記録再生装置１０に出力する。したがって、制御部３１は、携帯型記録再生装置１０の表示部１５を継続して点灯させることができる。また、ユーザは、コンテンツデータの再生中に、すなわち音楽を聞きながら、携帯型記録再生装置１０の表示部１５を見て、動作状況や再生しているコンテンツデータに関する情報を視認することができる。
【００５２】
なお、ドックステーション２０のメモリ２８に格納されているコンテンツデータや付加データを携帯型記録再生装置１０のメモリ１１に転送する処理を行う場合もある。この場合にあっても、ドックステーション２０の制御部３１は、ステップＳ１で説明したように、装着部２６に携帯型記録再生装置１０が装着されたことを検出してから、メモリ２８から携帯型記録再生装置１０のメモリ１１への転送処理を開始する。そして、制御部３１は、この処理に並列して、ステップＳ２−ステップＳ４まで処理を行う。すなわち、制御部３１は、第１の所定期間毎に、表示部１５の駆動信号を発生し、データ送受信部２７より携帯型記録再生装置１０のデータ送受信部１２に出力する。これにより、携帯型記録再生装置１０では、制御部１７がこの駆動信号を検出することで、表示部１５が消灯されないようにする。したがって、ユーザは、ドックステーション２０から携帯型記録再生装置１０のメモリ１１にコンテンツデータや付加データを転送している際の動作状況を表示部１５で確認できる。
【００５３】
この場合にも、ドックステーション２０から携帯型記録再生装置１０へのデータ転送処理中に、上述した第１の所定時間を経過することが生じる。このため、制御部３１は、データ転送処理中に割り込み処理を行って、コンテンツデータや付加データの転送処理より優先して携帯型記録再生装置１０に対して表示部１５の駆動信号を出力し、携帯型記録再生装置１０の表示部１５が消灯することを防止する。
【００５４】
以上のように、本発明が適用された再生システム１では、携帯型記録再生装置１０とドックステーション２０との間でコンテンツデータ等の転送処理を行う際に、必ず表示部１５が消灯する前に、表示部１５の駆動信号をドックステーション２０から携帯型記録再生装置１０に入力する。したがって、再生システム１では、携帯型記録再生装置１０の表示部１５が消灯することを防止でき、常に、表示部１５を用いて動作状況を確認することができる。したがって、再生システム１では、ユーザの利便性の向上を図ることができる。
【００５５】
なお、以上説明したドックステーション２０は、ディジタル及び／又はアナログのラジオ放送を受信するチューナの機能を有していたが、本発明のドックステーションは、チューナの機能を有していなくても良く、また、他の機能を有していても良い。例えば、ドックステーション２０は、映像データを表示する表示装置の機能を有していても良い。また、本発明では、転送するデータもコンテンツデータに限定されるものではない。
【図面の簡単な説明】
【００５６】
【図１】本発明が適用された再生システムを示す図である。
【図２】本発明が適用された再生システムに用いられる携帯型記録再生装置１０のブロック図である。
【図３】本発明が適用されたドックステーションのブロック図である。
【図４】本発明が適用されたドックステーションのフローチャートである。
【符号の説明】
【００５７】
１  再生システム、１０  携帯型記録再生装置、１１  メモリ、１２  データ送受信部、１３  コーデック、１４  出力部、１５  表示部、１６  操作部、１７  制御部、１７ａ  タイマ、１８  電源部、２０  ドックステーション、２１  アンテナ、２２  チューナ、２３  サウンド制御部、２４  スピーカ、２５  出力部、２６  装着部、２７  データ送受信部、２８  メモリ、２９  表示部、３０  操作部、３１  制御部、３１ａ  タイマ
【図１】
2010060941.tif 000003
【図２】
2010060941.tif 000004
【図３】
2010060941.tif 000005
【図４】
2010060941.tif 000006